(57)【要約】      （修正有）【課題】サンプル配布や贈答品或は景品配布の際に、当該商品を受け取った人が確実に当該企業の宣伝文句や当該企業の各種情報を読み、確認出来、記憶してもらうことが可能な可搬性構造物を提供する。【解決手段】本体部２の少なくとも一部に太陽電池４で駆動される液晶表示装置３が設けられている通信機能を有しない可搬送性構造物１であり、当該液晶表示装置は、予め定められた所定の静止画像を連続的に表示するものであっても良く、或は当該画像を間歇的に表示できる様に構成されているものであっても良い。【選択図】図１
0003131623.tif 000002
【実用新案登録請求の範囲】
【請求項１】
本体部の少なくとも一部に太陽電池で駆動される液晶表示装置が設けられている事を特徴とする通信機能を有しない可搬送性構造物。
【請求項２】
当該液晶表示装置は、所定の静止画像を連続的或は間歇的に表示できる様に構成されている事を特徴とする請求項１に記載の可搬送性構造物。
【請求項３】
当該液晶表示装置は、当該静止画像を任意に変更出来る様に構成されている事を特徴とする請求項２に記載の可搬送性構造物。
【請求項４】
当該液晶表示装置は、当該液晶部と太陽電池部と蓄電池部と液晶部の駆動制御部と、バックライト部と裏蓋部とから構成されており当該裏蓋部に所定の静止画像が表示されているか搭載されている事を特徴とする請求項１乃至３の何れかに記載の可搬送性構造物。
【請求項５】
当該液晶表示装置は、当該液晶部と太陽電池部と蓄電池部と液晶部の駆動制御部と、バックライト部と所定の静止画像を搭載する画像保持部と裏蓋部とから構成されており、当該画像保持部は当該液晶部の下部であって、当該バックライト部の上部又は下部の何れかに設けられている事を特徴とする請求項１乃至４の何れかに記載の可搬送性構造物。
【請求項６】
当該可搬送性構造物がライターである事を特徴とする請求項１乃至５の何れかに記載の可搬送性構造物。
【請求項７】
当該可搬送性構造物が携帯電話或はＰＤＡ若しくはパソコン用の表示画面クリーナである事を特徴とする請求項１乃至５の何れかに記載の可搬送性構造物。
【請求項８】
当該通信機能を有しない可搬送性構造物は、手帳、ペーパーホルダー、ペンダント、キーホルダー、カードホルダー、財布、名刺入れ、定期券入れ、腕時計、置時計、文鎮、筆立て、ペンシルケース、ペーパースタンド、本立て等を含む文房具類、各種ケース、鞄類、袋物、傘、ペンライト等の懐中電灯を含む小型電気機器、計算器、翻訳器から選択された一つの構造物である事を特徴とする請求項１乃至５の何れかに記載の可搬送性構造物。
【請求項９】
本体ケース部、太陽電池部、蓄電池部、所定の静止画像を連続的或は間歇的に表示できる様に構成されて液晶表示部、当該液晶表示部の駆動制御部、バックライト部及び画像保持部とから構成されており、当該画像保持部は当該液晶表示部の下部であって、当該バックライト部の上部又は下部の何れかの部位に於いて、本体ケース部に対して着脱自在若しくは挿入抜き出し自在に設けられている事を特徴とする通信機能を有しない可搬送性構造物用の液晶表示装置。
【考案の詳細な説明】
【技術分野】
【０００１】
本考案は、一般的に、可搬性の小物と称される、例えば、ライター、ペンダント、タバコケース、名刺入れ、携帯電話或はＰＤＡ若しくはパソコン用の表示画面クリーナ等の通常は通信機能を有していない可搬送性構造物に関するものである。
【背景技術】
【０００２】
従来から、ライター、キーホルダー、ペンダント、タバコケース、名刺入れ等の通常は通信機能を有していない可搬送性小物類が、一般的に贈答品やサンプル提供或は各種の景品として不特定多数の人に配布する構造物として使用されており、かかる非通信機能の当該小物類には、その配布に際して、特定の企業の宣伝の為に、当該構可搬送性造物に当該企業の名称、住所、電話番号、ファックス番号、Ｅ−メイルアドレス、更には当該企業が製造販売する各種商品に関する画像やその宣伝文句等を印刷するかラベルを添着するなどして配布している。
【０００３】
然しながら、係る宣伝形態は既に古い形態となりつつあり、消費者に飽きられて来ており、当該小物類の所有者が全く当該宣伝文や企業情報を見ない事も多く、従って、当該宣伝効果や宣伝効率が従来に比べて大幅に低下してきている事は否めない。
【考案の開示】
【考案が解決しようとする課題】
【０００４】
従って、本考案の目的は、上記した従来に於けるサンプル配布や贈答品或は景品配布の際に、当該商品を受け取った人が確実に当該企業の宣伝文句や当該企業の各種情報を読み、確認出来、記憶してもらうことが可能な可搬性構造物を提供するものである。
【課題を解決するための手段】
【０００５】
本考案は、上記目的を達成するために、以下に示す様な基本的技術構成を採用するものである。
【０００６】
即ち、本考案に係る可搬送性構造物は、本体部の少なくとも一部に太陽電池で駆動される液晶表示装置が設けられている事を特徴とする通信機能を有しない可搬送性構造物である。
【０００７】
更に、本考案に係る当該通信機能を有しない可搬送性構造物に於いては、当該液晶表示装置は、予め定められた所定の静止画像を連続的に表示するものであっても良く或は当該画像を間歇的に表示できる様に構成されているものであっても良い。
【０００８】
又、本考案に係る当該通信機能を有しない可搬送性構造物に於いて使用される当該液晶表示装置は、当該静止画像を任意に変更出来る様に構成されている事も好ましい。
【考案の効果】
【０００９】
本考案に於ける当該通信機能を有しない可搬送性構造物は、液晶表示装置が当該可搬送性構造物の少なくとも一部に配置されており、然も当該液晶表示装置は太陽電池で駆動される様に構成されているので、電源の必要もなく、場所の制約もなく、光源が存在する場所では何時でも所定の画像を表示でき安価で、然も所有者は、当該構造物を使用する際には、必ず当該液晶表示装置の画面を見るようになるので、企業の宣伝には効率的な手段となるのである。
【００１０】
更に、当該液晶表示装置を間歇的に且つ所定の間隔で点滅させることによって、当該可搬送性構造物の所有者は、自然と当該液晶表示装置の画像表示部に目が移り、当該企業の宣伝文や製品の概要説明等を読むことになるので、一層宣伝効果が向上すると同時に電池その他の電源の使用可能時間を長期化させることも可能である。
【考案を実施するための最良の形態】
【００１１】
以下に、本考案にかかる可搬送性構造物の具体的な構成の例を、図面を参照しながら詳細に説明する。
【００１２】
即ち、図１は、本考案に係る可搬送性構造物の一具体例の構成を示すものであって、図中、本体部２の少なくとも一部に太陽電池４で駆動される液晶表示装置３が設けられている通信機能を有しない可搬送性構造物１が示されている。
【００１３】
本考案に於いて使用される当該通信機能を有しない可搬送性構造物１は、例えば、ライター、手帳、ペーパーホルダー、ペンダント、キーホルダー、カードホルダー、財布、名刺入れ、定期券入れ、腕時計、置時計、文鎮、筆立て、写真立て、ペンシルケース、ペーパースタンド、本立て、ファイル、アルバム等を含む文房具類、各種ケース、鞄類、袋物、傘、ライトペンを含む懐中電灯を含む小型電気機器、携帯電話或はＰＤＡ若しくはパソコン用の表示画面クリーナ、計算器、翻訳器、カレンダーから選択された一つの構造物である事が望ましい。
【００１４】
従って、本考案に於いては、当該可搬送性構造物としては、携帯ラジオ、携帯テレビ、携帯電話、ＰＤＡ、或はゲームコントローラ等の受信機能を含む通信機能を有し、それ自身通信操作に関与する製品は含まれない。
【００１５】
勿論、本考案で使用される当該通信機能を有しない可搬送性構造物１としては、上記に例示された具体的な構造物に特定されるものではなく、機能並びに構成が類似している可搬性の小物類であれば如何なる構造物も対象とすることが可能である。
【００１６】
本考案に於ける当該液晶表示装置３は、太陽電池４を備えており、当該太陽電池４が光源を感知するときには何時でも当該液晶からなる表示部３１が所定の静止画像を表示する様に構成されている。
【００１７】
より具体的には、当該液晶表示装置３の大きさや形状は特に限定されるものではなく、任意の寸法や形状を有する液晶表示装置３を使用することが可能であり、又当該液晶表示装置３を配置する位置も当該可搬送性構造物１の少なくとも一部の側面或は側壁部１２の少なくとも一部であれば何れの部位で配置するものであっても良く、要は、製造上のデザインの問題、当該可搬送性構造物としての操作性の問題、大きさや寸法、厚み等を総合的に勘案して決定することが可能である。勿論、本考案に於いては、当該液晶表示装置３を当該可搬送性構造物１の側面或は側壁部１２の全面に配置したものであっても良い。
【００１８】
又、本考案に於いては、当該太陽電池４を含む当該液晶表示装置３は、当該可搬送性構造物１の特定の側面或は側壁部１２に直接適宜の接着剤を介在させて接合したものであっても良く、或は当該可搬送性構造物１の側面或は側壁部１２の一部を予め切り取るか、へこみ部を形成して、その中に当該液晶表示装置３を配置するか埋め込む様に構成したものであっても良い。
【００１９】
本考案に於いて使用される当該液晶表示装置３は、上記した様に太陽電池で駆動されるものであり、具体的には、図２に示す様に、液晶表示装置用ケース部（以下単に液晶ケース部と言う）４０、太陽電池部４、蓄電池部１５、所定の静止画像を連続的或は間歇的に表示できる様に構成されて液晶画像表示部３１、当該液晶画像表示部３１の駆動制御部１６、バックライト部１３及び画像保持部１１とから構成されている。
【００２０】
そしてより具体的には、適宜の透明性を有する合成樹脂等で構成された保護板７の下部に一対のガラス基板８、８’と当該一対のガラス基板８、８’間に狭持されている液晶１０からなる液晶部９からなる液晶画像表示部３１が設けられており、当該液晶画像表示部３１の下部には、バックライト部１３と当該液晶ケース部４０の裏面部３０とが設けられている表示部構成を有しており、所定の静止画像は当該液晶ケース部４０の裏面部３０の内面に表示されているか、適宜の静止画像を表示した画像原稿原版が当該裏面部３０の内面に添着されているものであってもよい。
【００２１】
この場合には、当該裏面部３０が、画像保持部１１を兼用するものである。
【００２２】
尚、本考案に使用される当該液晶ケース部４０は、表面を形成する保護板７を含めて、当該表示部構成全体を被覆する様に一体的に或は複数の部材が接合されて構成されているものであり、少なくとも当該保護板７と当該太陽電池と対向する部分は透明な合成樹脂等で構成されていることが望ましい。
【００２３】
又、別の態様としては、当該該液晶ケース部４０の当該保護板７に対応する裏面部３０とは別に、画像保持部１１が配置され、当該画像保持部１１上に適宜の静止画像原稿原版が添着されているか、交換自在に搭載されている様に構成された表示部構成を有しているものであっても良い。
【００２４】
更には、当該液晶部９とバックライト部１３とを駆動させる駆動制御部１６が設けられている。
【００２５】
尚、上記した当該液晶部９の下部に配置されるバックライト部１３と画像保持部１１との配置関係は、特に限定されるものではなく、例えば、当該画像保持部１１が不透明な材質で構成されてその上に適宜の画像原版が搭載されている場合には、当該バックライト部１１の下方部に当該当該画像保持部１２が配置されている事が望ましく、又、当該画像保持部１２が透明な材質で構成され同時に使用される画像原版も透明な材料で構成されている場合には、当該バックライト部１１は当該当該画像保持部１２の下方部に配置されているものであっても良い。
【００２６】
一方、図３に示す様に、当該液晶表示装置３に於いては、例えば、太陽電池４と当該太陽電池４に接続され、当該太陽電池４が発電した電荷をチャージしておく蓄電部１５が設けられ、更に当該蓄電部１５の電気エネルギーを利用して当該液晶部９と当該バックライト部１３の駆動状態を操作する適宜のスイッチ手段１７を有する操作部１６とが設けられている。
【００２７】
図１に示す本考案に於ける当該通信機能を有しない可搬送性構造物１は、その一具体例としてライターを示している。
【００２８】
即ち、ライターは、安価であり然も大量に消費されている小物類の代表的な商品であり、各種の景品や贈答品、或は特定企業の宣伝用商品として一般的に利用されている。
【００２９】
本考案では、当該通信機能を有しない可搬送性構造物である当該ライター１の本体部２の少なくとも一方の側面壁部１２の全面或は少なくともその一部に、上記した太陽電池４で駆動される液晶表示装置３を接着手段若しくは埋め込み方式等によって配置固定したものである。
【００３０】
本考案の当該液晶表示装置３は液晶表示部３１が設けられており、当該液晶表示部３１は、上記した様に、液晶部９の下部に所定の表示画像原版支持手段１１上に搭載された所定の静止画像からなる表示画像原版６が設けられており、当該表示画像原版６が適宜のバックライト部１３によって照明された状態を形成しておき、当該液晶部９の液晶１０が所定の制御回路からなる制御手段から出力される駆動信号に応答して活性化された際には、当該液晶部９を介してその下部に存在する当該静止画像が透視できるように構成され、又、当該液晶が非活性化されている際には、当該静止画像は当該液晶部９を介して透視できない様に構成されている。
【００３１】
従って、上記した太陽電池によって当該蓄電手段１５に蓄電された電気エネルギーを当該制御手段１６の当該スイッチ手段１７を所定の操作プログラムにより制御操作することによって、当該液晶を任意に活性化させたり、非活性化させることによって、当該液晶表示装置の当該液晶表示部３１に当該所定の静止画像が表示されたり、表示されなかったりする様に設定する事が可能である。
【００３２】
つまり、当該制御手段１６の操作によって、当該液晶表示装置３の当該液晶表示部３１に当該静止画像を連続的に表示させたり表示させなかったりすることが出来ると共に、所定の間隔で当該静止画像を点滅表示する事が可能である。
【００３３】
又、本考案に於いては、当該液晶表示装置３の当該液晶表示部３１を非活性化する場合には、当該バックライト部１３に対する通電を遮断するように構成することも可能である。
【００３４】
本考案に係る当該通信機能を有しない可搬送性構造物１に於いては、その使用者が常に当該液晶表示部に表示される所定の企業の名称、製品名、住所、電話番号、ファックス番号、Ｅ−メイルアドレス等の企業情報や企業製品の概要説明を当該可搬送性構造物１を使用する都度、或は当該当該可搬送性構造物１に注目した都度、確実に当該液晶表示部を見てもらう為に、当該液晶表示部３１を点滅状態にする事が効率的であり宣伝効果が高まる。
【００３５】
又、本考案に於ける当該液晶表示部に於いて使用される当該表示用画像は、静止画である事が望ましく、文字、数字、写真、絵画、イラスト等の単独或はそれらの組み合わせで構成されているものである。
【００３６】
更に、本考案にあっては、当該同一の構成を有するライター等の通信機能を有しない可搬送性構造物１を異なる企業で個別に使用する可能性が高いので、当該液晶表示装置３の当該表示部３１に対向して配置される当該静止画像原稿は、任意のものに自在に交換し得るように構成されていることが望ましい。
【００３７】
同様に、当該可搬送性構造物１の所有者が、自ら好みの静止画像を任意に交換して使用することも可能である。
【００３８】
当該目的を実現させる為の具体的構成としては、例えば、図２に示す様に、例えば、当該液晶表示装置３の液晶ケース部４０の側面である一端部に適宜のスリット部２０を設け、当該スリット部２０を介して、適宜の構成を有する静止画像原版６を搭載可能な画像原版支持手段１１を当該液晶表示部と当該液晶ケース部４０の裏面部３０との間に当該スリット部２０から挿入・抜き取り自在となる様に構成しておくことが望ましい。
【００３９】
更に別の態様としては、当該液晶ケース部４０の当該裏面部３０の少なくとも一部を当該液晶ケース部４０に対して開閉自在な構造となし、当該開閉可能な裏蓋状の裏面部材３２に適宜の構成を有する静止画像原版６を搭載可能に構成した構成を採用することも可能である。
【００４０】
係る構成に於いて、当該静止画像原版支持手段１１上に特定の企業が広告宣伝活動に使用したい特定の静止画像原稿原版を搭載して当該静止画像原版支持手段１１と共に当該スリット部２０を介して当該液晶表示部３１の当該液晶部９の下部に挿入配置するものであり、又当該静止画像原稿原版を交換する場合には当該画像原版支持手段１１を当該本体部から抜き出して、静止画像の交換を行い、再挿入するという操作を行うことになる。
【００４１】
勿論、本考案に於ける当該液晶表示装置３に於いては、当該特定の静止画像原稿原版を一旦当該液晶表示部３１内に設定した場合に最早当該静止画像原稿原版は交換不能に構成されているものであっても良い。
【００４２】
本考案に於ける別の具体例としては、当該通信機能を有しない可搬送性構造物１として、携帯電話やＰＤＡ或いはゲーム器のコントローラの様な通信機能を有する機器に設けられた液晶表示部に付着したごみや埃等を拭い去るためのクリーナーであっても良い。
【００４３】
一方、本考案に於いて、当該通信機能を有しない可搬送性構造物１としてライターを採用した場合、当該液晶表示装置３に設けた太陽電池を当該液晶表示装置の側面に設ける場合は、その分だけ当該液晶表示装置３の厚みが増す事になり、結局は当該ライターのガス室の容量が小さくなるので、係る弊害を防止する為に、図４又は図５に示す様に、当該太陽電池４を当該液晶表示装置２から分離して当該ライター１の本体部２の側面の一部に別途設けたものであっても良い。
【００４４】
尚、本考案に於いて、当該可搬送性構造物１として計算器或は翻訳器等が採用される場合には、当該各機器には、既に入力データー及び計算結果或は翻訳結果を表示する液晶表示装置が設けられているが、係る液晶表示装置に本考案の液晶表示装置３の構成を組み込む事も可能であり、又それと本考案の液晶表示装置３の構成とを併用する事も可能である。
【００４５】
本考案の別の態様としては、液晶ケース部４０、太陽電池部４、蓄電池部１５、所定の静止画像を連続的或は間歇的に表示できる様に構成されて液晶表示部３１、当該液晶表示部３１の駆動制御部１６、バックライト部１３及び画像保持部１１とから構成されており、当該画像保持部１１は当該液晶表示部３１の下部であって、当該バックライト部１３の上部又は下部の何れかの部位に於いて、液晶ケース部４０に対して着脱自在若しくは挿入抜き出し自在に設けられている事を特徴とする通信機能を有しない可搬送性構造物用の液晶表示装置３である。
【図面の簡単な説明】
【００４６】
【図１】図１は、本考案に於ける通信機能を有しない可搬送性構造物の一具体例の構成を説明する斜視図である。
【図２】図２は、本考案に於ける液晶表示装置の一具体例を示す断面図である。
【図３】図３は、本考案に於ける液晶表示装置の制御回路の具体例を示すブロック図である。
【図４】図４は、本考案に於ける通信機能を有しない可搬送性構造物の別の具体例を示す斜視図である。
【図５】図５は、本考案に於ける通信機能を有しない可搬送性構造物の他の具体例を示す斜視図である。
【符号の説明】
【００４７】
１．    通信機能を有しない可搬送性構造物
２．    本体部
３．    液晶表示装置
４．    太陽電池
６．    静止画像原稿原版
７．    保護板部
８．    ガラス基板
９．    液晶部
１０．  液晶
１１．  画像支持手段
１３．  バックライト
１５．  蓄電池
１６．  制御部
１７．  スイッチ部
２０．  スリット部
３０．  裏面部
３１．  画像表示部
３２．  裏蓋状の裏面部材
４０．  液晶ケース部
【図１】
0003131623.tif 000003
【図２】
0003131623.tif 000004
【図３】
0003131623.tif 000005
【図４】
0003131623.tif 000006
【図５】
0003131623.tif 000007